(57)【要約】【課題】書類を見栄え良く、効率的に収納できる棚を提供する。【解決手段】本発明の一形態に係る棚は、上面で書類を支える棚板部と、棚板部の背面側に配置された背板部と、背板部に固定された背面防滑シートと、を備え、背板部は、棚板部側の内面と、上記内面とは反対側の外面とを備え、背面防滑シートは、背板部の内面に固定されると共に、背板部の内面よりも高い防滑性を有する。【選択図】図１
2019195482.tif 000002
【特許請求の範囲】
【請求項１】
上面で書類を支える棚板部と、
前記棚板部の背面側に配置された背板部と、
前記背板部に固定された背面防滑シートと、
を備え、
前記背板部は、前記棚板部側の内面と、前記内面とは反対側の外面とを備え、
前記背面防滑シートは、前記背板部の前記内面に固定されると共に、前記背板部の前記内面よりも高い防滑性を有する、棚。
【請求項２】
前記背面防滑シートは、基材層と、前記基材層の一方の表面に設けられた粘着層と、前記粘着層に対して反対側の他方の表面に設けられた防滑樹脂層と、を備えている、請求項１記載の棚。
【請求項３】
前記背板部は、前記棚板部に当接する下辺と、前記下辺に対して反対側の上辺とを備え、
前記背面防滑シートは、前記上辺及び前記下辺に沿って延在し、且つ前記上辺及び前記下辺から離間して設けられている、請求項１または２記載の棚。
【請求項４】
前記背面防滑シートは、前記上辺側に片寄って設けられている、請求項３記載の棚。
【請求項５】
前記棚板部の前記上面に固定されると共に、前記上面よりも防滑性が高い底面防滑シートを更に備えた、請求項１〜４のいずれか一項記載の棚。
【請求項６】
前記底面防滑シートは、基材層と、前記基材層の一方の表面に設けられた粘着層と、前記粘着層に対して反対側の他方の表面に設けられた防滑樹脂層と、を備えている、請求項５記載の棚。
【請求項７】
前記棚板部は、前記背板部に当接する後辺と、前記後辺に対して反対側の前辺とを備え、
前記底面防滑シートは、前記後辺及び前記前辺に沿って延在し、且つ前記後辺から離間して設けられている、請求項５または６記載の棚。
【請求項８】
前記底面防滑シートは、前記後辺側に片寄って設けられている、請求項７記載の棚。
【請求項９】
前記棚板部の前記前辺は、前記棚板部の前記後辺よりも高い、請求項７または８記載の棚。
【請求項１０】
前記棚板部は、当該棚板部と水平面との間に角度θをなし、１５度≦θ≦４５度である、請求項９記載の棚。
【請求項１１】
棚の背板部及び棚板部の少なくとも一つに固定される防滑シートであって、
基材層と、
前記基材層の一方の表面に設けられると共に、前記背板部及び前記棚板部の少なくとも一つに接着される粘着層と、
前記粘着層に対して反対側の他方の表面に設けられた防滑樹脂層と、
を備える、防滑シート。
【請求項１２】
前記防滑樹脂層は、発泡性マイクロカプセルを含む、請求項１１記載の防滑シート。
【請求項１３】
前記発泡性マイクロカプセルは、ウレタン樹脂を含む、請求項１２記載の防滑シート。
【発明の詳細な説明】
【技術分野】
【０００１】
本発明は、厚さの薄い書籍や雑誌といった書類を収納可能な棚及び棚に固定される防滑シートに関する。
【背景技術】
【０００２】
本棚などの棚に収納した書類が厚さの薄い書籍や雑誌であるときには、それらの書類が棚の中で転倒することがある。書類の転倒を防止するため、例えば、特許文献１には、棚板に衝立を設けて書籍等の転倒を防止する棚が開示されている。
【先行技術文献】
【特許文献】
【０００３】
【特許文献１】実用新案登録第３０９６９０１号公報
【発明の概要】
【発明が解決しようとする課題】
【０００４】
棚板に衝立などの転倒防止部材を設けた棚においては、特に厚さの薄い書類を並べた際に多数の転倒防止部材が必要であり、見栄えの良い収納を行うことは難しかった。また、転倒防止部材を設けた棚では、その転倒防止部材の体積分だけ収納スペースが減少し、効率的な収納は難しかった。
【０００５】
本発明の一側面は、立てた状態で並べられた書類に対し、転倒を抑止しながら見栄え良く、且つ効率的に収納できる棚及び防滑シートを提供することを目的とする。
【課題を解決するための手段】
【０００６】
本発明の一側面に係る棚は、上面で書類を支える棚板部と、棚板部の背面側に配置された背板部と、背板部に固定された背面防滑シートと、を備え、背板部は、棚板部側の内面と、上記内面とは反対側の外面とを備え、背面防滑シートは、背板部の内面に固定されると共に、背板部の内面よりも高い防滑性を有する。
【０００７】
この棚に書籍や雑誌等の書類を立てた状態で並べて収容する際、それらの書類を背板部に当接するまで奥に押し込むと、背板部に固定された背面防滑シートが書類に干渉する。背面防滑シートは、背板部の内面より高い防滑性を有するので、背面防滑シートと書類との間に生じる摩擦力が抵抗になり、書類の転倒を抑止することができる。更に、この棚によれば、背面防滑シートは書類の裏側に隠れるように位置するので、衝立などの転倒防止部材を設置する態様に比べて見栄えが良くなる。また、背面防滑シートは背板部に固定されているので、衝立などの転倒防止部材に比べて、収納スペースは減り難く、効率的な書類の収納に有利である。なお、「書類の転倒」とは、立てた状態の書類の上部が下部を支点にして傾き、その結果、倒れてしまう現象のほか、腰が柔らかな（変形し易い）書類については途中で折れ曲がって倒れてしまう現象も想定している。
【０００８】
本発明の別側面に係る棚において、背面防滑シートは、基材層と、基材層の一方の表面に設けられた粘着層と、粘着層に対して反対側の他方の表面に設けられた防滑樹脂層と、を備えていてもよい。
【０００９】
この棚によれば、背面防滑シートは、基材層を備えているので高い形状安定性を確保し易く、粘着層を備えているので、背板部に固定される際及び書類に干渉する際に位置ズレが生じ難い。また、背面防滑シートは、防滑樹脂層が書類に干渉し、書類の転倒を抑制する。
【００１０】
本発明の別側面に係る棚において、背板部は、棚板部に当接する下辺と、下辺に対して反対側の上辺とを備え、背面防滑シートは、上辺及び下辺に沿って延在し、且つ上辺及び下辺から離間して設けられていてもよい。
【００１１】
この棚によれば、上辺及び下辺に沿って延在するように背面防滑シートを設けるので、上辺及び下辺に沿った横方向に並べられた書類に対する転倒抑止効果を向上させることができる。また、背板部の上辺近傍は、背の低い書類に干渉し難い領域であり、この領域に背面防滑シートを固定した場合、少なくとも背の低い書類に対して転倒抑止機能が働き難くなる。また、下辺近傍は、書類の下部に干渉する位置であり、この領域に背面防滑シートを固定しても、書類の上部の傾きを抑えにくく、転倒抑止という観点での効果が低くなる。つまり、上記の棚では、背板部の上辺及び下辺から離間して背面防滑シートを設けているので、転倒抑止機能を発揮し難い場所を避けた適切な配置を行い易くなり、効率的に書類の転倒抑止を行い易くなる。
【００１２】
本発明の別側面に係る棚において、背面防滑シートは、上辺側に片寄って設けられていてもよい。上辺側に片寄って設けられているとは、背板部を仮想的に上下に均等に分割して上辺側の領域と下辺側の領域とに分けた場合に、上辺側の領域に固定された背面防滑シートの方が、下辺側の領域に固定された背面防滑シートよりも多いことを意味する。背面防滑シートは、立てた状態の書類の下部よりも上部寄りの位置に干渉した方が、転倒抑止効果が高くなる。この棚によれば、書類の上部に背面防滑シートが干渉するように配置し易くなるので、書類の転倒抑止効果をより向上させ易くなる。
【００１３】
本発明の別側面に係る棚は、棚板部の上面に固定されると共に、この上面よりも防滑性が高い底面防滑シートを更に備えてもよい。この棚によれば、底面防滑シートが書類の下部に干渉して、書類の下部の横滑り、及び横滑りに続く書類の転倒を抑止する。その結果、背面防滑シートと協働して書類の転倒を抑止することになる。なお、「書類の下部の横滑り」または後述の「書類の横滑り」とは、立てた状態の書類の下部が横にずれてしまい、その結果、書類が崩れるように倒れてしまう現象等を想定している。
【００１４】
本発明の別側面に係る棚において、底面防滑シートは、基材層と、基材層の一方の表面に設けられた粘着層と、粘着層に対して反対側の他方の表面に設けられた防滑樹脂層と、を備えていてもよい。この棚によれば、底面防滑シートは、基材層を備えているので高い形状安定性を確保し易く、粘着層を備えているので、棚板部に固定される際及び書類に干渉する際に位置ズレが生じ難い。また、底面防滑シートは、防滑樹脂層が書類に干渉し、書類の横滑りを抑制する。
【００１５】
本発明の別側面に係る棚において、棚板部は、背板部に当接する後辺と、後辺に対して反対側の前辺とを備え、底面防滑シートは、後辺及び前辺に沿って延在し、且つ後辺から離間して設けられていてもよい。この棚によれば、後辺及び前辺に沿って延在するように底面防滑シートを設けるので、後辺及び前辺に沿った横方向に並べられた書類に対する横滑り抑止効果を向上できる。また、書類は、背面防滑シートによって転倒を抑止されており、従って、背面防滑シートに近い棚板部の後辺近傍では安定し易いが、後辺近傍から離間するほど不安定になって横滑りし易くなる。上記の棚では、後辺から離間して底面防滑シートを設けているので、背面防滑シートとの協働による横滑り及び転倒抑止機能の向上に有利である。
【００１６】
本発明の別側面に係る棚において、底面防滑シートは、後辺側に片寄って設けられていてもよい。後辺側に片寄って設けられているとは、棚板部を仮想的に前後に均等に分割して前辺側の領域と後辺側の領域とに分けた場合に、後辺側の領域に固定された底面防滑シートの方が、前辺側の領域に固定された底面防滑シートよりも多いことを意味する。書類は、背板部に当接する奥まで押し込まれて収容されている。従って、底面防滑シートを後辺側に片寄って設けることで、底面防滑シートはより多くの書籍に干渉し、書類の横滑り抑止効果をより向上させ易くなる。
【００１７】
本発明の別側面に係る棚において、棚板部の前辺は、棚板部の後辺よりも高くてもよい。この棚の棚板部には、前辺から後辺に向かって高さが低くなる傾斜が生じる。この傾斜によって、棚に収納された書類は、その自重によって背面防滑シートに強く押し付けられる。その結果、書類と、背面防滑シートとの間に生じる摩擦力が、棚板部が傾斜を有しない場合に比べて増加して転倒抑止効果が高まる。
【００１８】
本発明の別側面に係る棚において、棚板部は、当該棚板部と水平面との間に角度θをなし、１５度≦θ≦４５度であってもよい。この棚によれば、上記角度を有する棚板部の傾斜によって、棚に収納された書類は、その自重によって背面防滑シート及び底面防滑シートに効果的に強く押し付けられる。書類と、背面防滑シート及び底面防滑シートとの間に生じる摩擦力がより増加して転倒抑止効果が更に高まる。
【００１９】
本発明の一側面に係る防滑シートにおいて、棚の背板部及び棚板部の少なくとも一つに固定される防滑シートであって、基材層と、基材層の一方の表面に設けられると共に、背板部及び棚板部の少なくとも一つに接着される粘着層と、粘着層に対して反対側の他方の表面に設けられた防滑樹脂層と、を備える。
【００２０】
この防滑シートによれば、背板部の内面及び棚板部の上面の少なくとも一つに固定されることにより、棚に収納された書類の転倒を効果的に抑止できる。この防滑シートは、基材層を備えているので高い形状安定性を確保し易く、粘着層を備えているので、背板部及び棚板部の少なくとも一方に固定される際及び書類に干渉する際に位置ズレが生じ難い。また、防滑シートは、防滑樹脂層が書類に干渉し、書類の転倒や横滑りを抑制する。
【００２１】
本発明の別側面に係る防滑シートにおいて、防滑樹脂層は、発泡性マイクロカプセルを含んでもよい。この防滑シートによれば、防滑樹脂層が、凹凸のある樹脂表面を有するので、防滑シートが書類に干渉し易くなって、書類の転倒をより効果的に低減する。
【００２２】
本発明の別側面に係る棚において、発泡性マイクロカプセルは、ウレタン樹脂を含んでもよい。この防滑シートによれば、ウレタン樹脂は高い防滑性を有するので、ウレタン樹脂を含む防滑シートが書類により干渉し易くなって、書類の転倒を更に効果的に低減する。
【発明の効果】
【００２３】
本発明によれば、立てた状態で並べられた書類に対し、転倒を抑止しながら見栄え良く、且つ効率的に収納できる。
【図面の簡単な説明】
【００２４】
【図１】図１は、本発明の実施形態に係る棚の外観図である。
【図２】図２は、本発明の実施形態に係る棚の一部を拡大して示す正面図である。
【図３】図３の（ａ）図は、本発明の一実施形態に係る背面防滑シートを示す平面図である。図３の（ｂ）図は、図３の（ａ）図のＩＩＩｂ−ＩＩＩｂ線に沿った断面図である。
【図４】図４は、図２のＩＶ−ＩＶ線に沿った断面図である。
【図５】図５は、図２のＶ−Ｖ線に沿った棚の断面図である。図５の（ａ）図は、背面防滑シート及び底面防滑シートを備える形態について示す断面図であり、図５の（ｂ）図は、背面防滑シートを備え、底面防滑シートを備えていない形態について示す断面図である。
【図６】図６は、本発明の他の実施形態に係る棚の外観図である。
【図７】図７は、図６のＶＩＩ−ＶＩＩ線に沿った断面図である。
【図８】図８の（ａ）図は、本発明の他の実施形態に係る棚に固定された背面防滑シート及び底面防滑シートが書類に及ぼす摩擦力を示す図である。図８の（ｂ）図は、棚板部と水平面とがなす角度θと、背面防滑シート及び底面防滑シートが書類に及ぼす摩擦力との関係を示す図である。
【図９】図９の（ａ）図は、実施例１に係る棚の一部を拡大して示す正面図である。図９の（ｂ）図は、実施例２に係る棚の一部を拡大して示す正面図である。図９の（ｃ）図は、比較例１に係る棚の一部を拡大して示す正面図である。
【図１０】図１０の（ａ）図は、実施例３に係る棚の一部を拡大して示す正面図である。図１０の（ｂ）図は、実施例４に係る棚の一部を拡大して示す正面図である。
【発明を実施するための形態】
【００２５】
以下、図面を参照しつつ、本発明の好適な実施形態について説明する。なお、図面の説明において同一要素には同一符号を付し、重複する説明を省略する。また、図面は理解を容易にするため一部を誇張して描いており、寸法比率等は図面に記載のものに限定されるものではない。
【００２６】
本明細書において、「背面側」とは、薄い書籍や雑誌等の書類を収納する際に出し入れする側を正面側とした場合の反対側を意味する。また、「右横面」等の名称における「右」とは、正面側から棚及び棚を構成する部材を視認する者から見て右側に位置することを意味し、「左」とは、「右」の逆側に位置することを意味する。また、本明細書において、「前辺」等の名称における「前」とは、正面側から棚及び棚を構成する部材を視認する者から見て手前側に位置することを意味し、「後」とは、棚及び棚を構成する部材を視認する者から見て奥側に位置することを意味する。
【００２７】
図１は、本発明の実施形態に係る棚の外観図である。棚１は、棚板部１０と、背板部２０と、横板部３０とを備える。棚板部１０は、上面１１を有し、上面１１が、棚１に収納される書類６０（図５参照）を支える。背板部２０は、棚板部１０の背面側に配置され、棚板部１０側の内面２１と、内面２１とは反対側の外面２２とを備える。横板部３０は、右横板部３１及び左横板部３２を有し、例えば、右横板部３１は、棚板部１０の右横面側に配置され、左横板部３２は、棚板部１０の左横面側に配置される。右横板部３１及び左横板部３２は、共に、棚板部１０及び背板部２０と結合して、棚１を構成することができる。
【００２８】
棚板部１０、背板部２０及び横板部３０（右横板部３１、左横板部３２）の結合は、例えば、ネジ及び釘といった固定部材によることができ、また、接着剤といった粘着部材によることができる。棚１の最上部に設けられた棚板部１０は、天板部１２であることができ、棚１の最下部に設けられた棚板部１０は、底板部１３であることができる。棚板部１０、背板部２０及び横板部３０の材料は、特に限定されず、例えば、木材、プラスティック、ガラス、及び金属の少なくとも一つを含む。
【００２９】
図１に示す棚１は、棚板部１０を４つ有しているが、棚板部１０の数は４つに限られない。棚板部１０の数は、１〜３であってもよく、５以上であってもよい。また、棚１は、横板部３０を備えなくてもよく、最上部の棚板部１０、すなわち天板部１２についても、必要に応じて備えなくてもよい。棚１は、一つの棚板部１０と一つの背板部２０とを備える構造を有してもよい。
【００３０】
棚１は、背面防滑シート４０を更に備える。背面防滑シート４０は、背板部２０に固定される。背面防滑シート４０は、背板部２０の内面２１に固定されると共に、背板部２０の内面２１よりも高い防滑性を有する。本明細書で用いる「防滑性」とは、棚１に収納される書類６０（図５参照）の滑り難さを示す性能を意味し、背面防滑シート４０の摩擦係数は、背板部２０の内面２１の摩擦係数よりも大きい。
【００３１】
本実施形態の棚１によれば、この棚１に薄い書籍や雑誌等の書類６０を立てた状態（縦置き）で並べて収容する際、それらの書類６０を背板部２０に当接するまで奥に押し込むと、背板部２０に固定された背面防滑シート４０が書類６０に干渉する。背面防滑シート４０は、背板部２０の内面２１より高い防滑性を有するので、背面防滑シート４０と書類６０との間に生じる摩擦力が抵抗になり、書類６０の転倒を抑止することができる。更に、この棚１によれば、背面防滑シート４０は書類６０の裏側に隠れるように位置するので、衝立などの転倒防止部材を設置する態様に比べて棚１の内部が簡素化され、見栄えが良くなる。また、背面防滑シート４０は背板部２０に固定されているので、衝立などの転倒防止部材に比べて、収納スペースは減り難く、効率的な書類６０の収納に有利である。
【００３２】
図２は、本発明の実施形態に係る棚の一部を拡大して示す正面図である。背板部２０は、上辺２３と下辺２４とを備える。背板部２０の下辺２４は、棚板部１０に当接し、背板部２０の上辺２３は、下辺２４に対して反対側に位置する。
【００３３】
背板部２０は、上辺２３から下辺２４までの距離、すなわち、背板長Ｈ１を有する。背板長Ｈ１は、例えば２５０ｍｍ〜４５０ｍｍである。背板部２０に設けられた背面防滑シート４０は、背面シート長Ｈ１Ｓを有する。背面シート長Ｈ１Ｓは、例えば１５０ｍｍ〜３５０ｍｍである。背面防滑シート４０は、上端４１と下端４２とを有する。上端４１は、下端４２に対して反対側に位置する。
【００３４】
背面防滑シート４０は、背板部２０の上辺２３及び下辺２４に沿って延在し、且つ上辺２３及び下辺２４から離間して設けられてもよい。すなわち、背面防滑シート４０の上端４１は、背板部２０の上辺２３に沿って延在し、且つ背板部２０の上辺２３から離間して設けられてもよい。また、背面防滑シート４０の下端４２は、背板部２０の下辺２４に沿って延在し、且つ背板部２０の下辺２４から離間して設けられてもよい。本実施形態では、背板部２０の上辺２３から背面防滑シート４０の上端４１までの上部背板長Ｈ１Ｕは、例えば０ｍｍ〜１００ｍｍである。背面防滑シート４０の下端４２から背板部２０の下辺２４までの下部背板長Ｈ１Ｂは、例えば０ｍｍ〜２００ｍｍである。
【００３５】
この棚１によれば、上辺２３及び下辺２４に沿って延在するように背面防滑シート４０を設けるので、上辺２３及び下辺２４に沿った横方向に並べられた書類６０に対する転倒抑止効果を向上させることができる。また、背板部２０の上辺２３近傍は、背の低い書類６０に干渉し難い領域であり、この領域に背面防滑シート４０を固定した場合、少なくとも背の低い書類６０に対して転倒抑止機能が低くなる。また、下辺２４近傍は、書類６０の下部に干渉する位置であり、この領域に背面防滑シート４０を固定しても、書類６０の上部の傾きを抑えにくく、転倒抑止という観点での効果が低くなる。つまり、上記の棚１では、背板部２０の上辺２３及び下辺２４から離間して背面防滑シート４０を設けているので、転倒抑止機能を発揮し難い場所を避けた適切な配置を行い易くなり、効率的に書類６０の転倒抑止を行い易くなる。
【００３６】
本実施形態では、背面防滑シート４０は、背板部２０の上辺２３側に片寄って設けられてもよい。上辺２３側に片寄って設けられているとは、背板部２０を仮想的に上下に均等に分割して上辺２３側の領域と下辺２４側の領域とに分けた場合に、上辺２３側の領域に固定された背面防滑シート４０の方が、下辺２４側の領域に固定された背面防滑シート４０よりも多い（面積が大きい）ことを意味する。背面防滑シート４０は、立てた状態の書類６０の下部よりも上部寄りの位置に干渉した方が、転倒抑止効果が高くなる。この棚１によれば、書類６０の上部に背面防滑シート４０が干渉するように配置し易くなるので、書類６０の転倒抑止効果をより向上させ易くなる。なお、背面防滑シート４０が背板部２０の上辺２３側に片寄って設けられるとき、上部背板長Ｈ１Ｕは、例えば０ｍｍ〜５０ｍｍである。
【００３７】
背板部２０は、背板右辺２５と背板左辺２６とを備える。背板右辺２５は、例えば、右横板部３１に当接する。背板左辺２６は、背板右辺２５に対して反対側に位置し、例えば、左横板部３２に当接する。
【００３８】
背板部２０は、背板右辺２５から背板左辺２６までの距離、すなわち、背板幅Ｗ１を有する。背板幅Ｗ１は、例えば３００ｍｍ〜５００ｍｍである。背板部２０に設けられた背面防滑シート４０は、背面シート幅Ｗ１Ｓを有する。背面シート幅Ｗ１Ｓは、例えば２００ｍｍ〜５００ｍｍである。背面防滑シート４０は、右端４３と左端４４とを有する。右端４３は、左端４４に対して反対側に位置する。
【００３９】
背面防滑シート４０は、背板部２０の背板右辺２５及び背板左辺２６に沿って延在し、且つ背板右辺２５及び背板左辺２６から離間して設けられてもよい。すなわち、背面防滑シート４０の右端４３は、背板部２０の背板右辺２５に沿って延在し、且つ背板部２０の背板右辺２５から離間して設けられてもよい。また、背面防滑シート４０の左端４４は、背板部２０の背板左辺２６に沿って延在し、且つ背板部２０の背板左辺２６から離間して設けられてもよい。本実施形態では、背板部２０の背板右辺２５から背面防滑シート４０の右端４３までの右部背板幅Ｗ１Ｒは、例えば０ｍｍ〜２００ｍｍである。背板部２０の背板左辺２６から背面防滑シート４０の左端４４までの左部背板幅Ｗ１Ｌは、例えば０ｍｍ〜１００ｍｍである。
【００４０】
図３の（ａ）図は、本発明の一実施形態に係る背面防滑シートを示す平面図である。図３の（ｂ）図は、図３の（ａ）図のＩＩＩｂ−ＩＩＩｂ線に沿った断面図である。背面防滑シート４０は、基材層４０ａと、粘着層４０ｂと、防滑樹脂層４０ｃとを備える。粘着層４０ｂは、基材層４０ａの一方の表面４０ｄに設けられ、防滑樹脂層４０ｃは、粘着層４０ｂに対して反対側に位置する基材層４０ａの他方の表面４０ｅに設けられる。
【００４１】
この棚１によれば、背面防滑シート４０は、基材層４０ａを備えているので、高い形状安定性を確保し易く、粘着層４０ｂを備えているので、背板部２０に固定される際及び書類６０に干渉する際に位置ズレが生じ難い。また、背面防滑シート４０は、防滑樹脂層４０ｃが書類６０に干渉し、書類６０の転倒を抑制する。
【００４２】
基材層４０ａは、例えば、紙及び不織布を含む。紙は、例えば、木材パルプ、マニラ麻、三椏、雁皮、楮等を原料とする上質紙、クラフト紙、含浸紙、又はクレープ紙の少なくとも一つを含む。不織布は、レーヨン繊維、ビニロン繊維、ポリエステル繊維、ポリオレフィン系繊維、ポリプロピレン繊維、又はナイロン繊維等の合成繊維等と木材パルプ並びに各種の靭皮繊維との混合物の少なくとも一つを含む。基材層４０ａの厚さは、例えば５０μｍ〜１００μｍである。
【００４３】
粘着層４０ｂは、例えば、天然ゴム、スチレンブタジエンゴム、イソプレンゴム、ブチルゴム等のエラストマー系粘着剤、及びアクリル系の樹脂系粘着剤の少なくとも一つを含む。また、粘着層４０ｂは、粘着付与剤樹脂、軟化剤、老化防止剤、及び充填剤を組み合わせた組成の弱粘着剤を更に含むことができる。弱粘着剤は、粘着力２０ｇ／２５ｍｍ幅〜３００ｇ／２５ｍｍ幅の弱粘着性を示す。この粘着力は、ＪＩＳＺ０２３７粘着テープ・粘着試験方法における９０度ピール試験に基づく評価値であり、弱粘着剤は、上記範囲の粘着力を有するときに、良好な粘着力と自着力とを有する。粘着層４０ｂの厚さは、例えば２０μｍ〜１００μｍである。
【００４４】
防滑樹脂層４０ｃは、軟質の樹脂、軟質のゴム、シリカなどの無機粒子、及び発泡性マイクロカプセルを含む。発泡性マイクロカプセルは、例えば、芯物質及び壁膜剤（シェル）を含む。芯物質は、例えば、ｎ−ブタン、ペンタン、ネオペンタンといった低沸点の炭化水素を含む。壁膜剤は、例えば、塩化ビニリデン、アクリロニトリル、メチルメタクリレートといったメタ・アクリル酸エステル、及びスチレンといった芳香族ビニル化合物を含む。このほか、壁膜剤は、例えば、ウレタン樹脂、エステル樹脂、アミド樹脂、及びエポキシ樹脂を含む。発泡性マイクロカプセルの平均粒子径は、例えば５μｍ〜５０μｍである。
【００４５】
防滑樹脂層４０ｃは、接着剤によって基材層４０ａに設けられることができる。接着剤は、例えば、ラテックス系樹脂、水溶系樹脂、及び非水溶性樹脂を含む。ラテックス系樹脂には、例えば、スチレン・ブタジエン系ラテックス樹脂、アクリロニトリル・ブタジエン系ラテックス樹脂、アクリル酸エステル系ラテックス樹脂、及び塩化ビニル系ラテックス樹脂がある。水溶系樹脂には、ゼラチン等のプロテイン類、エステル化澱粉等の澱粉類、カルボキシメチルセルロース誘導体等の天然高分子化合物がある。非水溶性樹脂には、例えば、ロジン、コーパル、ダルマンなどの天然樹脂、エチルセルロース、ヒドロキシプロピルセルロース、セルロースアセテートプロピオネートなどの半合成樹脂、フェノール樹脂、メラミン樹脂、アルキド樹脂などの合成樹脂がある。接着剤は、基材層４０ａに含まれる繊維等を目止めすることができる。
【００４６】
発泡性マイクロカプセルと接着剤との混合の割合は、例えば、Ｊ．ＴＡＰＰＩ紙パルプ試験法ＮＯ３１−７９において、摩擦抵抗・摩擦角３０度〜６０度になるように調製されることができる。発泡性マイクロカプセルの混合割合が、３質量部〜７０質量部であり、接着剤の混合割合３０質量部〜９７質量部であるとき、良好な防滑性と防滑樹脂層４０ｃの基材層４０ａへの接着性とが示される。発泡性マイクロカプセル中の樹脂と接着剤中の樹脂とを合わせた樹脂付着量は、例えば１ｇ／ｍ２〜３０ｇ／ｍ２である。発泡性マイクロカプセルは、例えば摂氏１００度〜１８０度の加熱によって形成される。
【００４７】
防滑樹脂層４０ｃは、着色剤を含んでもよい。着色剤は、例えば、顔料又は染料等などの材料である。防滑樹脂層４０ｃは、着色のためのサイズ剤を含んでもよく、サイズ剤は、例えば、アルキルケテンダイマー、スチレン系、ロジン系、フッ素系、ワックス系を含む。防滑樹脂層４０ｃは、更に、耐水性のための湿潤強度剤を含んでもよい。湿潤強度剤は、例えば、エピクロルヒドリン系樹脂、ポリアクリルアマイド系樹脂、メラミン樹脂を含む。防滑樹脂層４０ｃは、必要に応じて、帯電防止剤、老化防止剤、増粘剤等の助剤を含んでもよい。防滑樹脂層４０ｃの厚さは、例えば５０μｍ〜１００μｍである。
【００４８】
本実施形態の背面防滑シート４０によれば、防滑樹脂層４０ｃが、発泡性マイクロカプセルを含むときには、凹凸のある樹脂表面を有するので、背面防滑シート４０が書類６０に干渉し易くなって、書類６０の転倒をより効果的に低減する。発泡性マイクロカプセルを含む防滑樹脂層４０ｃは、例えば摂氏２０度〜１００度の広い温度範囲下において、優れた防滑性を示すことができる。防滑樹脂層４０ｃにおいて、発泡性マイクロカプセルがウレタン樹脂を含むときには、ウレタン樹脂の高い防滑性によって、背面防滑シート４０が書類６０により干渉し易くなって、書類６０の転倒を更に効果的に低減する。
【００４９】
なお、図３の（ａ）図の平面図において、背面防滑シート４０は、長方形の二次元形状を有しているが、背面防滑シート４０の二次元形状は、長方形のほか、正方形、台形、ひし形、四角形以外の多角形であってもよい。また、背面防滑シート４０の二次元形状は、円形または楕円形であってもよい。背面防滑シート４０が防滑性を有すれば、背面防滑シート４０の二次元形状は、特に限定されない。
【００５０】
図１に示されるように、棚１は、底面防滑シート５０を更に備えてもよい。底面防滑シート５０は、棚板部１０の上面１１に固定されると共に、上面１１よりも防滑性が高い。
【００５１】
図４は、図２のＩＶ−ＩＶ線に沿った断面図であり、底面防滑シート５０を示す。棚板部１０は、前辺１４と後辺１５とを備える。棚板部１０の後辺１５は、背板部２０に当接し、棚板部１０の前辺１４は、後辺１５に対して反対側に位置する。また、棚板部１０は、棚板右辺１６と棚板左辺１７とを備える。背板部２０の棚板右辺１６は、例えば、右横板部３１に当接する。背板部２０の棚板左辺１７は、棚板右辺１６に対して反対側に位置し、例えば、左横板部３２に当接する。
【００５２】
この棚１は、底面防滑シート５０を更に備えるとき、底面防滑シート５０が書類６０の下部に干渉して、書類６０の下部の横滑り、及び横滑りに続く書類６０の転倒を抑止する。その結果、背面防滑シート４０と協働して書類６０の転倒を抑止することになる。
【００５３】
棚板部１０は、前辺１４から後辺１５までの距離、すなわち、棚板長Ｄ２を有する。棚板長Ｄ２は、例えば２００ｍｍ〜３５０ｍｍである。棚板部１０に設けられた底面防滑シート５０は、底面シート長Ｄ２Ｓを有する。底面シート長Ｄ２Ｓは、例えば１５０ｍｍ〜３００ｍｍである。底面防滑シート５０は、前端５１と後端５２とを有する。前端５１は、後端５２に対して反対側に位置する。
【００５４】
底面防滑シート５０は、棚板部１０の前辺１４及び後辺１５に沿って延在し、且つ前辺１４及び後辺１５から離間して設けられてもよい。すなわち、底面防滑シート５０の前端５１は、棚板部１０の前辺１４に沿って延在し、且つ棚板部１０の前辺１４から離間して設けられてもよい。また、底面防滑シート５０の後端５２は、棚板部１０の後辺１５に沿って延在し、且つ棚板部１０の後辺１５から離間して設けられてもよい。本実施形態では、棚板部１０の前辺１４から底面防滑シート５０の前端５１までの前部棚板長Ｄ２Ｆは、例えば５０ｍｍ〜２００ｍｍである。棚板部１０の後辺１５から底面防滑シート５０の後端５２までの後部棚板長Ｄ２Ｒは、例えば０ｍｍ〜１００ｍｍである。
【００５５】
この棚１によれば、前辺１４及び後辺１５に沿って延在するように底面防滑シート５０を設けるので、前辺１４及び後辺１５に沿った横方向に並べられた書類６０に対する横滑り抑止効果を向上できる。また、書類６０は、背面防滑シート４０によって転倒を抑止されており、従って、背面防滑シート４０に近い棚板部１０の後辺１５近傍では安定し易いが、後辺１５近傍から離間するほど不安定になって横滑りし易くなる。従って、後辺１５から離間して底面防滑シート５０を設けた棚１によれば、背面防滑シート４０との協働による横滑り及び転倒抑止機能の向上に有利である。
【００５６】
棚板部１０は、棚板右辺１６から棚板左辺１７までの距離、すなわち、棚板幅Ｗ２を有する。棚板幅Ｗ２は、背板幅Ｗ１と同じであることができて、例えば３００ｍｍ〜５００ｍｍである。棚板部１０に設けられた底面防滑シート５０は、底面シート幅Ｗ２Ｓを有する。底面シート幅Ｗ２Ｓは、例えば１５０ｍｍ〜５００ｍｍである。底面防滑シート５０は、右端５３と左端５４とを有する。右端５３は、左端５４に対して反対側に位置する。
【００５７】
また、底面防滑シート５０は、棚板部１０の棚板右辺１６及び棚板左辺１７に沿って延在し、且つ棚板右辺１６及び棚板左辺１７から離間して設けられてもよい。すなわち、底面防滑シート５０の右端５３は、棚板部１０の棚板右辺１６に沿って延在し、且つ棚板部１０の棚板右辺１６から離間して設けられてもよい。また、底面防滑シート５０の左端５４は、棚板部１０の棚板左辺１７に沿って延在し、且つ棚板部１０の棚板左辺１７から離間して設けられてもよい。本実施形態では、棚板部１０の棚板右辺１６から底面防滑シート５０の右端５３までの右部背板幅Ｗ２Ｒは、例えば０ｍｍ〜１５０ｍｍである。棚板部１０の棚板左辺１７から底面防滑シート５０の左端５４までの左部背板幅Ｗ２Ｌは、例えば０ｍｍ〜１００ｍｍである。
【００５８】
本実施形態の棚１において、底面防滑シート５０は、棚板部１０の後辺１５側に片寄って設けられていてもよい。後辺１５側に片寄って設けられているとは、棚板部１０を仮想的に前後に均等に分割して前辺１４側の領域と後辺１５側の領域とに分けた場合に、後辺１５側の領域に固定された底面防滑シート５０の方が、前辺１４側の領域に固定された底面防滑シート５０よりも多い（面積が大きい）ことを意味する。書類６０は、背板部２０に当接する奥まで押し込まれて収容されている。従って、底面防滑シート５０を後辺１５側に片寄って設けることで、底面防滑シート５０はより多くの書籍に干渉し、書類６０の横滑り抑止効果をより向上させ易くなる。なお、底面防滑シート５０が棚板部１０の後辺１５側に片寄って設けられるときには、後部棚板長Ｄ２Ｒは、例えば、０ｍｍ〜５０ｍｍである。この棚１によれば、書類６０を背面防滑シート４０に干渉させるために奥まで押し込んだ場合、棚板部１０の前辺１４から離間してしまう可能性がある。これに対し、上記の棚１の底面防滑シート５０は、後辺１５側に片寄って配置されているので、背板部２０に当接する奥側に収納された書類６０に干渉し易くなり、書類６０の横滑り及び転倒を効果的に低減できる。
【００５９】
図３の（ａ）図及び（ｂ）図に示されるように、底面防滑シート５０は、基材層５０ａと、粘着層５０ｂと、防滑樹脂層５０ｃとを備える。粘着層５０ｂは、基材層５０ａの一方の表面５０ｄに設けられ、防滑樹脂層５０ｃは、粘着層５０ｂに対して反対側に位置する基材層５０ａの他方の表面５０ｅに設けられる。底面防滑シート５０は、背面防滑シート４０と同様の防滑シートであり、底面防滑シート５０に含まれる材料は、背面防滑シート４０に含まれる材料と同様であることができる。また、底面防滑シート５０の基材層５０ａ、粘着層５０ｂ、及び防滑樹脂層５０ｃのそれぞれの厚さは、背面防滑シート４０の基材層４０ａ、粘着層４０ｂ、及び防滑樹脂層４０ｃのそれぞれの厚さと同様であることができる。
【００６０】
この棚１によれば、底面防滑シート５０は、基材層５０ａを備えているので高い形状安定性を確保し易く、粘着層５０ｂを備えているので、棚板部１０に固定される際及び書類６０に干渉する際に位置ズレが生じ難い。また、底面防滑シート５０は、防滑樹脂層５０ｃが書類６０に干渉し、書類６０の横滑りを抑制する。
【００６１】
図５は、図２のＶ−Ｖ線に沿った棚の断面図である。図５の（ａ）図は、背面防滑シート及び底面防滑シートを備える形態について示す断面図であり、図５の（ｂ）図は、背面防滑シートを備え、底面防滑シートを備えていない形態について示す断面図である。図５の（ａ）図及び（ｂ）図では、棚１に収納された書類６０が示されている。
【００６２】
図５の（ａ）図に示されるように、書類６０は、その側部６１が背面防滑シート４０に当接するまで、棚１の奥まで押し込まれると共に、底面防滑シート５０が書類６０の下部６２に干渉するように棚１に収納されることができる。この棚１では、背面防滑シート４０が書類６０の側部６１に干渉して転倒を抑止すると共に、底面防滑シート５０が書類６０の横滑り及び転倒を抑止することができる。棚１の中に収納された書類６０の転倒、または転倒と横滑りとは、背面防滑シート４０と底面防滑シート５０との協働によって効果的に抑制される。
【００６３】
図５の（ｂ）図に示されるように、書類６０は、棚１の奥まで押し込まれて収納されることができる。背板部２０の内面２１には、背面防滑シート４０が固定されており、書類６０は、その側部６１が背面防滑シート４０に当接するまで、棚１の奥まで押し込まれて収納されることができる。背面防滑シート４０は、背板部２０の内面２１より高い防滑性を有するので、背板部２０の内面２１より大きな摩擦力をもって書類６０の側部６１に干渉できる。この干渉によって、棚の中における書類６０の転倒が低減する。
【００６４】
なお、図５の（ａ）図では、書類６０が、背板部２０の内面２１及び棚板部１０の上面１１に接していないように示されており、図５の（ｂ）図では、書類６０が、背板部２０の内面２１に接していないように示されている。これは、背面防滑シート４０及び底面防滑シート５０の働きを分かりやすくするために、それらシートの厚さを大きく示したことが理由である。実際には、書類６０は、背板部２０の内面２１及び棚板部１０の上面１１の少なくとも一方に接することができる。
【００６５】
本実施形態では、棚１は、図５の（ａ）図及び図５の（ｂ）図に示した以外の形態を有してもよい。すなわち、棚１は、背板部２０に背面防滑シート４０を備えない一方で、棚板部１０に底面防滑シート５０を備えていてもよい。
【００６６】
図６は、本発明の他の実施形態に係る棚の外観図である。図７は、図６のＶＩＩ−ＶＩＩ線に沿った断面図である。図６及び図７に示されるように、棚１ｐは、棚板部１０ｐと、背板部２０ｐと、横板部３０ｐとを備える。棚板部１０ｐの前辺１４ｐは、棚板部１０ｐの後辺１５ｐよりも高くなっている。背板部２０ｐは、棚板部１０ｐの背面側に配置され、棚板部１０ｐ側の内面２１ｐと、内面２１ｐとは反対側の外面２２ｐとを備える。横板部３０ｐは、右横板部３１ｐ及び左横板部３２ｐを有し、例えば、右横板部３１ｐは、棚板部１０ｐの右横面側に配置され、左横板部３２ｐは、棚板部１０ｐの左横面側に配置される。右横板部３１ｐ及び左横板部３２ｐは、共に、棚板部１０ｐ及び背板部２０ｐと結合して、棚１ｐを構成することができる。
【００６７】
棚１ｐの最上部に設けられた棚板部１０ｐは、天板部１２ｐであることができる。天板部１２ｐの前辺１４ｐは、天板部１２ｐの後辺１５ｐよりも高くなくてよい。棚１の最下部に設けられた棚板部１０ｐは、底板部１３ｐであることができる。底板部１３ｐの前辺１４ｐは、底板部１３ｐの後辺１５ｐよりも高くなくてよい。棚１ｐは、前板部３５を更に備えることができて、前板部３５は、底板部１３ｐの前辺１４ｐと、底板部１３ｐの一つ上方に設けられた棚板部１０ｐの前辺１４ｐとを結ぶ。棚板部１０ｐ、背板部２０ｐ、横板部３０ｐ、及び前板部３５の材料は、特に限定されず、例えば、木材、プラスティック、ガラス、及び金属の少なくとも一つを含む。
【００６８】
この棚１ｐの棚板部１０ｐには、前辺１４ｐから後辺１５ｐに向かって高さが低くなる傾斜が生じる。この傾斜によって、棚１ｐに収納された書類６０は、その自重によって背面防滑シート４０ｐに強く押し付けられる。その結果、書類６０と、背面防滑シート４０ｐとの間に生じる摩擦力が、棚板部１０ｐが傾斜を有しない場合に比べて増加して転倒抑止効果が高まる。棚板部１０ｐに底面防滑シート５０ｐが更に設けられたときには、棚１ｐに収納された書類６０は、その自重によって背面防滑シート４０ｐ及び底面防滑シート５０ｐに強く押し付けられる。その結果、書類６０と、背面防滑シート４０ｐ及び底面防滑シート５０ｐとの間に生じる摩擦力が、棚板部１０ｐが傾斜を有しない場合に比べて増加して転倒抑止効果が高まる。
【００６９】
図７に示されるように、棚１ｐは、背面防滑シート４０ｐ及び底面防滑シート５０ｐを備えているが、本実施形態でも、背板部２０ｐに背面防滑シート４０ｐを備える一方で、棚板部１０ｐに底面防滑シート５０を備えていなくてもよい。また、棚１ｐは、背板部２０ｐに背面防滑シート４０ｐを備えない一方で、棚板部１０ｐに底面防滑シート５０を備えていてもよい。防滑シート（背面防滑シート４０ｐ、底面防滑シート５０ｐ）が、背板部２０ｐの内面２１ｐ及び棚板部１０ｐの上面１１ｐの少なくとも一つに固定されることにより、棚１ｐに収納された書類６０の転倒を効果的に抑止できる。この防滑シートは、基材層４０ａ（基材層５０ａ）によって、高い形状安定性を有し、また、粘着層４０ｂ（粘着層５０ｂ）によって、背板部２０ｐ及び棚板部１０ｐの少なくとも一方に固定する際及び書類６０に干渉する際に、防滑シートの位置ズレが低減される。また、防滑シート（は、防滑樹脂層４０ｃ（防滑樹脂層５０ｃ）によって、収納された書類６０に干渉することができる。
【００７０】
棚１ｐが背面防滑シート４０ｐ及び底面防滑シート５０ｐを共に備えたときには、背面防滑シート４０ｐが書類６０の側部６１に干渉して転倒を抑止すると共に、底面防滑シート５０ｐが書類６０の横滑り及び転倒を抑止することができる。棚１ｐの中に収納された書類６０の転倒及び横滑りは、背面防滑シート４０ｐと底面防滑シート５０ｐとの協働によって効果的に抑制される。
【００７１】
図８の（ａ）図は、本発明の他の実施形態に係る棚に固定された背面防滑シート及び底面防滑シートが書類６０に及ぼす摩擦力を示す図である。図８の（ａ）図において、棚板部１０ｐは、当該棚板部１０ｐと水平面ＨＰとの間に角度θを成し、また、背板部２０ｐは、棚板部１０ｐと垂直に交差している。
【００７２】
背板部２０ｐ上の背面防滑シート４０ｐと、書類６０とが接する領域のなかの一つの接点Ｐ１において、書類６０の背面防滑シート４０ｐにかかる荷重をＮ１とする。背板部２０ｐに垂直な方向の荷重成分Ｎ１Ａは、Ｎ１×ｓｉｎθとなるので、接点Ｐ１における垂直抗力Ｎ１Ｂは、Ｎ１×ｓｉｎθである。摩擦力Ｆ１は、摩擦係数をμとすると、式（１）の通りとなる。
Ｆ１＝Ｎ１×ｓｉｎθ  …（１）
【００７３】
棚板部１０ｐ上の底面防滑シート５０ｐと、書類６０とが接する領域のなかの一つの接点Ｐ２において、書類６０の底面防滑シート５０ｐにかかる荷重をＮ２とする。棚板部１０ｐに垂直な方向の荷重成分Ｎ２Ａは、Ｎ２×ｃｏｓθとなるので、接点Ｐ２における垂直抗力Ｎ２Ｂは、Ｎ２×ｃｏｓθである。接点Ｐ２における摩擦力Ｆ２は、摩擦係数をμとすると、式（２）の通りとなる。
Ｆ２＝Ｎ２×ｃｏｓθ  …（２）
【００７４】
本実施形態において、以下の計算を分かりやすくするために、荷重Ｎ１と荷重Ｎ２とが共に荷重Ｎであるとすると、摩擦力Ｆ１と摩擦力Ｆ２とを合わせた摩擦力Ｆは、式（３）の通りとなる。
Ｆ＝Ｎ×（ｓｉｎθ＋ｃｏｓθ）  …（３）
摩擦力Ｆは、背面防滑シート４０ｐ及び底面防滑シート５０ｐの双方が書類６０に及ぼす摩擦力を示している。
【００７５】
図８の（ｂ）図は、棚板部１０ｐと水平面ＨＰとがなす角度θと、背面防滑シート４０ｐ及び底面防滑シート５０ｐが書類６０に及ぼす摩擦力との関係を示す図である。角度θが０度〜４５度の角度範囲では、摩擦力Ｆは、単調に増大し、角度θが４５度〜９０度の角度範囲では、摩擦力Ｆは、単調に減少することが示される。
【００７６】
本実施形態において、棚板部１０ｐと水平面ＨＰとがなす角度θは、１５度≦θ≦４５度であることができる。角度θが１５度≦θ≦４５度であるときには、角度θが０度又は９０度であるときに比べて、摩擦力Ｆは、２０％以上増加することができる。
【００７７】
この棚１ｐによれば、１５度≦θ≦４５度の角度θを有する棚板部１０ｐの傾斜によって、棚１ｐに収納された書類６０は、その自重によって背面防滑シート４０ｐ及び底面防滑シート５０ｐに効果的に強く押し付けられる。書類６０と、背面防滑シート４０ｐ及び底面防滑シート５０ｐとの間に生じる摩擦力Ｆがより増加して転倒抑止効果が更に高まる。
【００７８】
以上、本実施形態に係る棚１、１ｐを例にして本発明の各実施形態について説明したが、本発明は上記の実施形態のみに限定されない。例えば、上記の実施形態では、背面防滑シートと底面防滑シートとの両方を備えた棚を例に説明したが、背面防滑シートのみを備えた棚であってもよい。また、上記の各実施形態では、背面防滑シートは背板部の内面の一部領域に固定され、底面防滑シートは棚板部の上面の一部領域に固定されているが、背面防滑シートが背板部の内面の全面に固定され、底面防滑シートが棚板部の上面の全面に固定されていても良い。
【００７９】
なお、背面防滑シートや底面防滑シートを背板部や棚板部の一部領域に固定することで、棚板部や背板部に背面防滑シートや底面防滑シートが固定されていない非固定領域を形成できる。その結果、背面防滑シートや底面防滑シートの使用量を低減でき、更に見栄えと転倒抑止効果とを向上し易くなる。例えば、書類は、棚の左側から並べることが多いが、右側の領域に並ぶ書類は、傾いた際に右横板部に干渉して完全には倒れない場合がある。つまり、棚板部の右側の領域に非固定領域を形成することで、背面防滑シートや底面防滑シートが目立ち難くなり、更に、転倒抑止効果を適切に図り易くなる。
【実施例】
【００８０】
以下、本発明の実施例および比較例により、さらに棚及び防滑シートについて説明する。本発明は、下記例に制限されない。なお、下記実施例及び比較例における符号は、上記実施形態で用いた符号に対応する（図１〜図５を参照）。
【００８１】
（実施例１）
図９の（ａ）図は、実施例１に係る棚の一部を拡大して示す正面図である。実施例１では、背板部２０に背面防滑シート４０を設置した後、棚１の中に書類６０を収納して、転倒しない書類６０の最大幅ＬＥ１を調べた。実施例１では、背板部２０の背板長Ｈ１は、４１０ｍｍとし、背面防滑シート４０の背面シート長Ｈ１Ｓは、２３０ｍｍとした。背板部２０の上辺２３から背面防滑シート４０の上端４１までの上部背板長Ｈ１Ｕは、６０ｍｍとし、背面防滑シート４０の下端４２から背板部２０の下辺２４までの下部背板長Ｈ１Ｂは、１２０ｍｍとした。
【００８２】
背板部２０の背板幅Ｗ１は、３８０ｍｍとし、背面防滑シート４０の背面シート幅Ｗ１Ｓは、３００ｍｍとした。背板部２０の背板右辺２５から背面防滑シート４０の右端４３までの右部背板幅Ｗ１Ｒは、７５ｍｍとし、背板部２０の背板左辺２６から背面防滑シート４０の左端４４までの左部背板幅Ｗ１Ｌは、５ｍｍとした。棚板部１０の棚板長Ｄ２は、３００ｍｍとした。
【００８３】
背面防滑シート４０の基材層４０ａは、ポリプロピレン繊維とし、粘着層４０ｂは、アクリル系接着剤とした。防滑樹脂層４０ｃに含まれる発泡性マイクロカプセルは、塩化ビニリデン−アクリロニトリル系とした。発泡性マイクロカプセルの平均粒子径は、１０μｍ〜１８μｍとした。背面防滑シート４０の厚さは、２５０μｍであった。
【００８４】
実施例１では、背板部２０の背板左辺２６に接する位置から書類６０を収納し始め、転倒せずに収納された書類６０の最大幅ＬＥ１を計測した。最大幅ＬＥ１は、背板左辺２６から転倒しない書類６０の最右端６０ｒまでの距離である。実施例１に係る書類６０は、Ａ４サイズ（縦：２９７ｍｍ、横２１０ｍｍ）の紙一枚、又は、数枚の紙を束ねた書類６０からなり、紙一枚、又は、数枚の紙を束ねた書類６０の厚さは、０．１ｍｍ〜５ｍｍの範囲であった。実施例１でが、転倒せずに収納された書類６０の最大幅ＬＥ１は５０ｍｍであった。
【００８５】
（実施例２）
図９の（ｂ）図は、実施例２に係る棚の一部を拡大して示す正面図である。実施例２では、背板部２０に背面防滑シート４０を設置し、また、棚板部１０に底面防滑シート５０を設置した。実施例１と同様に、棚１の中に書類６０を収納して、転倒しない書類６０の最大幅ＬＥ２を調べた。
【００８６】
実施例２では、底面シート長Ｄ２Ｓは、１５０ｍｍとした。棚板部１０の前辺１４から底面防滑シート５０の前端５１までの前部棚板長Ｄ２Ｆは、７５ｍｍとした。棚板部１０の後辺１５から底面防滑シート５０の後端５２までの後部棚板長Ｄ２Ｒは、５ｍｍとした。棚板部１０の棚板長Ｄ２は、３００ｍｍとした。棚板部１０の棚板右辺１６から底面防滑シート５０の右端５３までの右部背板幅Ｗ２Ｒは、７５ｍｍとし、棚板部１０の棚板左辺１７から底面防滑シート５０の左端５４までの左部背板幅Ｗ２Ｌは、５ｍｍとした。背板部２０の背板幅Ｗ１は、３８０ｍｍとした。
【００８７】
実施例２では、背板部２０及び背面防滑シート４０は、実施例１と同様であり、棚板部１０の棚板長Ｄ２及び棚１に収納する書類６０についても、実施例１と同様である。底面防滑シート５０の材料及び厚さについても、背面防滑シート４０と同様である。
【００８８】
実施例２で、転倒せずに収納された書類６０の最大幅ＬＥ２を計測した結果、最大幅ＬＥ２は３００ｍｍであった。なお、実施例２では、厚さ３００ｍｍを超える書類６０の収納も可能であることも確認できた。
【００８９】
（比較例１）
図９の（ｃ）図は、比較例１に係る棚の一部を拡大して示す正面図である。比較例１に係る棚は、背面防滑シート４０及び底面防滑シート５０を共に設けなかった他は、実施例１に係る棚と同様である。比較例１において、転倒せずに収納された書類６０の最大幅を計測した結果、０ｍｍであった。すなわち、比較例１では、転倒せずに棚に収納された書類６０はなかった。
【００９０】
（実施例３）
図１０の（ａ）図は、実施例３に係る棚の一部を拡大して示す正面図である。実施例３では、書類６０をＡ４サイズの紙を収納できる紙製ファイル６０ｐとした。実施例３では、書類６０を変更した他は、実施例１と同様の棚１及び背面防滑シート４０を使用し、転倒せずに収納された書類６０の最大幅ＬＥ３を計測した。紙製ファイル６０ｐは、Ａ４サイズ（縦：２９７ｍｍ、横２１０ｍｍ）の紙を収納するファイルとし、紙製ファイル６０ｐのそれぞれの厚さは、１５ｍｍ〜２０ｍｍの範囲とした。
【００９１】
実施例３で、転倒せずに収納された書類６０の最大幅ＬＥ３を計測した結果、最大幅ＬＥ３は５０ｍｍであった。
【００９２】
（実施例４）
図１０の（ｂ）図は、実施例４に係る棚の一部を拡大して示す正面図である。実施例４では、書類６０をＡ４サイズの紙を収納できる紙製ファイル６０ｐとした。実施例４では、書類６０を変更した他は、実施例２と同様の棚１、背面防滑シート４０、及び底面防滑シート５０を使用して、転倒せずに収納された書類６０の最大幅ＬＥ４を計測した。実施例４の紙製ファイル６０ｐは、実施例３の紙製ファイル６０ｐと同様である。
【００９３】
実施例４で、転倒せずに収納された書類６０の最大幅ＬＥ４を計測した結果、最大幅ＬＥ４は２５０ｍｍであった。なお、実施例４では、厚さ２５０ｍｍを超える書類６０の収納も可能であることも確認できた。
【００９４】
表１は、実施例１、２、及び比較例１に係る棚の構造（背面防滑シート及び底面防滑シートの有無）と、書類６０の形態と、転倒せずに収納された書類６０の最大幅とを示す。表２は、実施例３及び４に係る棚の構造（背面防滑シート及び底面防滑シートの有無）と、書類６０の形態と、転倒せずに収納された書類６０の最大幅とを示す。表１における「書類の形態」の欄における「薄紙」とは、紙一枚、又は、数枚の紙を束ねた書類６０のことを示す。表１及び表２における「評価」の欄では、転倒せずに収納された書類６０の最大幅（ｍｍ）が、５０ｍｍ以上であるときに「Ａ（良好）」と記載し、５０ｍｍ未満であるときに「Ｂ（不良）」と記載した。
【００９５】
【表１】
2019195482.tif 000003
【００９６】
【表２】
2019195482.tif 000004
【００９７】
表１において、実施例１と比較例１とを見比べると、棚１が背面防滑シート４０を備えるときには、背面防滑シート４０を備えないときに比べて、転倒せずに収納された書類６０の最大幅が増大することが示される。また、実施例２と比較例１とを見比べると、棚１が背面防滑シート４０及び底面防滑シート５０を共に備えるときには、背面防滑シート４０及び底面防滑シート５０を共に備えないときに比べて、転倒せずに収納された書類６０の最大幅が増大することが示される。
【産業上の利用可能性】
【００９８】
以上説明したように、本実施形態によれば、書類を見栄え良く、効率的に収納できる棚及び防滑シートを提供できる。
【符号の説明】
【００９９】
１、１ｐ…棚、１０、１０ｐ…棚板部、１４…前辺、１５…後辺、２０、２０ｐ…背板部、２１…内面、２２…外面、２３…上辺、２４…下辺、４０…背面防滑シート、４０ａ…基材層、４０ｂ…粘着層、４０ｃ…防滑樹脂層、４０ｄ…表面、４０ｅ…他方の表面、５０…底面防滑シート、５０ａ…基材層、５０ｂ…粘着層、５０ｃ…防滑樹脂層、６０…書類。
【図１】
2019195482.tif 000005
【図２】
2019195482.tif 000006
【図３】
2019195482.tif 000007
【図４】
2019195482.tif 000008
【図５】
2019195482.tif 000009
【図６】
2019195482.tif 000010
【図７】
2019195482.tif 000011
【図８】
2019195482.tif 000012
【図９】
2019195482.tif 000013
【図１０】
2019195482.tif 000014
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
上面で書類を支える棚板部と、
前記棚板部の背面側に配置された背板部と、
前記背板部に固定された背面防滑シートと、
前記棚板部の前記上面に固定されると共に、前記上面よりも防滑性が高い底面防滑シートと、
を備え、
前記背板部は、前記棚板部側の内面と、前記内面とは反対側の外面とを備え、
前記背面防滑シートは、前記背板部の前記内面に固定されると共に、前記背板部の前記内面よりも高い防滑性を有し、
前記背面防滑シートは、基材層と、前記基材層の一方の表面に設けられた粘着層と、前記粘着層に対して反対側の他方の表面に設けられた防滑樹脂層と、を備え、
前記背板部は、前記棚板部に当接する下辺と、前記下辺に対して反対側の上辺とを備え、
前記背面防滑シートは、前記上辺及び前記下辺に沿って延在し、且つ前記上辺及び前記下辺から離間して設けられており、
前記背面防滑シートは、前記上辺側に片寄って設けられており、
前記底面防滑シートは、基材層と、前記基材層の一方の表面に設けられた粘着層と、前記粘着層に対して反対側の他方の表面に設けられた防滑樹脂層と、を備え、
前記棚板部は、前記背板部に当接する後辺と、前記後辺に対して反対側の前辺とを備え、
前記底面防滑シートは、前記後辺及び前記前辺に沿って延在し、且つ前記後辺から離間して設けられており、
前記底面防滑シートは、前記後辺側に片寄って設けられている、棚。
【請求項２】
前記底面防滑シートは、前端と、当該前端に対して反対側に位置する後端とを有し、
前記棚板部の前記前辺から前記底面防滑シートの前記前端までの距離は、５０ｍｍ〜２００ｍｍである、請求項１記載の棚。
【請求項３】
前記棚板部の前記前辺は、前記棚板部の前記後辺よりも高く、
前記背板部は、前記棚板部と略垂直に交差している、請求項１又は２記載の棚。
【請求項４】
前記棚板部は、当該棚板部と水平面との間に角度θをなし、１５度≦θ≦４５度である、請求項３記載の棚。
【請求項５】
前記基材層は、麻、三椏、雁皮、及び楮の少なくとも一つを含む、請求項１〜４のいずれか一項記載の棚。
【請求項６】
棚の背板部及び棚板部の少なくとも一つに固定される防滑シートであって、
麻、三椏、雁皮、及び楮の少なくとも一つを含む基材層と、
前記基材層の一方の表面に設けられると共に、前記背板部及び前記棚板部の少なくとも一つに接着される粘着層と、
前記粘着層に対して反対側の他方の表面に設けられた防滑樹脂層と、
を備える、防滑シート。
【請求項７】
前記防滑樹脂層は、発泡性マイクロカプセルを含む、請求項６記載の防滑シート。
【請求項８】
前記発泡性マイクロカプセルは、ウレタン樹脂を含む、請求項７記載の防滑シート。